(57)【要約】【課題】高精細度なプラズマディスプレイパネル（ＰＤＰ）であっても、隔壁の焼成時に引張応力のバランスをとって隔壁を傾かせず、クロストークをおこすことがない、表示品質の高い画像表示が可能なＰＤＰを提供すること。【解決手段】表示電極対を有する前面板２０と、データ電極３２および隔壁３４を有する背面板３０とを、表示電極対とデータ電極３２とが交差するように対向配置して放電セルを形成したＰＤＰであって、隔壁３４はデータ電極３２に平行に配置された複数の縦隔壁３４ｂと、縦隔壁３４ｂに交差結合部３６で交差して隔壁３４を井桁状の隔壁３４に形成する複数の横隔壁３４ａとを備え、縦隔壁３４ｂのうちの両端の最外端縦隔壁３４ｃから外側に突出部４０を設けた構成とする。【選択図】図３
2008123834.tif 000002
【特許請求の範囲】
【請求項１】
表示電極対を有する前面板と、データ電極および隔壁を有する背面板とを、前記表示電極対と前記データ電極とが交差するように対向配置して放電セルを形成したプラズマディスプレイパネルであって、
前記隔壁は前記データ電極に平行に配置された複数の縦隔壁と、前記縦隔壁に交差結合部で交差して前記隔壁を井桁状に形成する複数の横隔壁とを備え、前記縦隔壁のうちの両端の最外端縦隔壁から外側に突出部を設けたことを特徴とするプラズマディスプレイパネル。
【請求項２】
前記突出部を前記交差結合部に設けたことを特徴とする請求項１記載のプラズマディスプレイパネル。
【請求項３】
前記突出部の底部幅が前記横隔壁の底部幅よりも大きいことを特徴とする請求項２記載のプラズマディスプレイパネル。
【発明の詳細な説明】
【技術分野】
【０００１】
本発明は、壁掛けテレビや大型モニターなどに用いられるプラズマディスプレイパネルに関する。
【背景技術】
【０００２】
プラズマディスプレイパネル（以下、「ＰＤＰ」と略記する）は、互いに平行に配置された表示電極対を有する前面板と、互いに平行に配置されたデータ電極を有する背面板とを対向配置し、表示電極対とデータ電極とが交差する位置に画像を表示する多数の放電セルが形成されている。そして前面板と背面板とは、それらの外周部を封着部材で封着され、内部にはキセノン（Ｘｅ）を含む放電ガスが封入されている。
【０００３】
背面板にはデータ電極を覆うように誘電体層が設けられ、さらにその上に隔壁が設けられている。この隔壁はデータ電極に平行な縦隔壁と、データ電極に直角な横隔壁とで井桁状に形成されている。そして、この井桁状の隔壁がそれぞれの放電セルを区画するとともに、背面板と前面板との間隔があらかじめ決められた所定の距離となるように支持している。
【０００４】
このような隔壁は、例えば背面板上に感光性ペーストを塗布し、フォトマスクを用いて露光し現像した後、焼成して形成することができる。しかしながら隔壁の焼成時には収縮を伴うこと、また大型化する背面板の周辺部も含めて全面にわたって均一な厚みの塗布膜を形成することが難しいことから、周辺部に形成された隔壁はその高さなどの精度が悪くなる傾向がある。そのため、背面板の周辺部を除く中央部の領域のみ画像表示を行う画像表示領域とし、周辺部は非画像表示領域とし画像表示領域から除外している。従って、非画像表示領域にも隔壁が形成されているが、この隔壁は画像表示に関与しないため、「ダミー隔壁」と呼ばれている。
【０００５】
しかしながら、縦隔壁のうちの両端の最外端縦隔壁と、横隔壁とが交差する交差結合部は、焼成に伴う収縮時の引張応力のバランスがとれず、最外端縦隔壁が浮き上がってしまう場合があった。このように最外端縦隔壁が浮き上がってしまうと、前面板と背面板との間に必要以上の隙間が生じ、漏れ電流の回り込みであるクロストークをおこす。
【０００６】
このような問題を軽減する方法として、例えば特許文献１には、隔壁が形成された領域のうち、最外端縦隔壁に結合している横隔壁の交差結合部までの幅が、それ以外の横隔壁の幅より狭いことを特徴とする隔壁を備えた背面板が開示されている。
【特許文献１】特開２００２−２７０１０１号公報
【発明の開示】
【発明が解決しようとする課題】
【０００７】
しかしながら、近年はＰＤＰの高精細度化が進むにつれて放電セルの寸法が小さくなり、隔壁の幅も従来の半分程度まで狭くなってきている。そのため、両端に配列した縦隔壁に結合している横隔壁の交差結合部までの幅をさらに狭く形成することが難しくなっている。
【０００８】
本発明は、上述した課題に鑑みてなされたものであり、高精細度ＰＤＰであっても、両端の縦隔壁を傾かせず、クロストークをおこすことがない、表示品質の高い画像表示が可能なＰＤＰを提供することを目的とする。
【課題を解決するための手段】
【０００９】
上記の目的を達成するために本発明は、表示電極対を有する前面板と、データ電極および隔壁を有する背面板とを、表示電極対とデータ電極とが交差するように対向配置して放電セルを形成したＰＤＰであって、隔壁はデータ電極に平行に配置された複数の縦隔壁と、縦隔壁に交差結合部で交差して隔壁を井桁状に形成する複数の横隔壁とを備え、縦隔壁のうちの両端の最外端縦隔壁から外側に突出部を設けた構成とする。
【００１０】
このような構成のＰＤＰとすると、最外端縦隔壁から外側に設けた突出部が、その交差結合部の形成時に働く引張応力をバランスさせるため、最外端縦隔壁を傾くことなく形成できる。その結果、高精細度ＰＤＰであっても、背面板と前面板との間隔が適正に保持されるため、クロストークをおこすことがなく、表示品質の高い画像表示が可能なＰＤＰを提供することができる。
【００１１】
また本発明のＰＤＰの最外端縦隔壁の突出部を交差結合部に設けてもよい。
【００１２】
このように最外端縦隔壁の突出部を交差結合部に設けると、交差結合部での引張応力のバランスがとれて交差結合部が浮き上がることがなく、最外端縦隔壁を傾くことなく形成できる。
【００１３】
また本発明のＰＤＰの最外端縦隔壁の突出部の底部幅を横隔壁の底部幅よりも大きくしてもよい。
【００１４】
このように最外端縦隔壁の突出部の底部幅を、横隔壁の底部幅よりも大きくすると、突出部の底面積が縦隔壁間の横隔壁の底面積より大きくなるため接着力が強くなり、突出部からの剥がれを抑制できる。
【発明の効果】
【００１５】
本発明のＰＤＰによれば、最外端縦隔壁の交差結合部に突出部を設けることで引張応力をバランスさせることができるため、高精細度ＰＤＰであっても、背面板と前面板との間隔が適正に保持されクロストークをおこすことのない、表示品質の高い画像表示が可能なＰＤＰを提供することができる。
【発明を実施するための最良の形態】
【００１６】
以下、本発明の実施の形態のＰＤＰについて図面を用いて説明する。
【００１７】
（第１の実施の形態）
図１は、本発明の第１の実施の形態のＰＤＰの平面図で、ＰＤＰ１０の内部を示すために、前面板２０の一部を破断した図である。ＰＤＰ１０は、前面板２０と背面板３０とが対向して配置され、その外周部をガラスフリットなどからなる封着部材１１によって封着接合されている。ここで背面板３０には、横隔壁３４ａと縦隔壁３４ｂとが結合した交差結合部３６を設けた井桁状の隔壁３４が備えられている。そして縦隔壁３４ｂのうちの両端の最外端縦隔壁３４ｃから外側に突出部４０を設けている。
【００１８】
またＰＤＰ１０は、その中央部に画像を表示する画像表示領域１２と、画像表示領域１２の外側に非画像表示領域１３とを有している。そして封着されたＰＤＰ１０の内部には、ネオン（Ｎｅ）およびキセノン（Ｘｅ）などの放電ガスが、５３２００Ｐａ〜７９８００Ｐａの圧力で封入されている。
【００１９】
図２は、本発明の第１の実施の形態のＰＤＰの構造を示す分解斜視図で、図１のＰＤＰ１０の画像表示領域１２を示している。
【００２０】
前面板２０の前面ガラス基板２１上には、走査電極２２および維持電極２３よりなる一対の帯状の表示電極対２４と、ブラックストライプ（遮光層）２５とが互いに平行に、それぞれ複数列配置されている。前面ガラス基板２１上には、表示電極対２４と、ブラックストライプ２５とを覆うようにコンデンサとしての働きをする誘電体層２６が形成され、さらにその表面に酸化マグネシウム（ＭｇＯ）などからなる保護層２７が形成されている。
【００２１】
また、背面板３０の背面ガラス基板３１上には、前面板２０の走査電極２２、および維持電極２３と直交する方向に、複数の帯状のデータ電極３２が互いに平行に配置され、これを下地誘電体層３３が被覆している。
【００２２】
ここでデータ電極３２は、表示電極対２４との間に放電セル３７を形成するように設けられている。すなわち、データ電極３２と表示電極対２４とが交差する箇所が、それぞれ放電セル３７となる。
【００２３】
そして、データ電極３２間の下地誘電体層３３上には、放電セル３７を形成する所定の高さの隔壁３４が形成されている。隔壁３４は、横隔壁３４ａと縦隔壁３４ｂとが結合した交差結合部３６を設けた井桁状であり、横隔壁３４ａの高さは、縦隔壁３４ｂの高さより高さが低い。また、隔壁３４間の溝にデータ電極３２毎に、紫外線によって赤色、青色、および緑色にそれぞれ発光する蛍光体層３５が、順次塗布して形成され、これらの赤色、青色、緑色の蛍光体層３５を有する放電セル３７が、カラー表示のための画素になる。
【００２４】
このように横隔壁３４ａの高さを、縦隔壁３４ｂの高さより低くしているのは、前面板２０と背面板３０との間に僅かな隙間を設けるようにして、放電ガスの封入を均一にするためである。また、縦隔壁３４ｂの高さを高くしているのは、赤色、青色、および緑色の異なる色相のクロストークを生じさせないためである。
【００２５】
ここで走査電極２２と維持電極２３は、それぞれ酸化インジウム（ＩＴＯ）や、酸化スズ（ＳｎＯ２）などからなる透明電極と、透明電極上に形成されたバス電極とにより構成されている。バス電極は透明電極の長手方向に導電性を付与する目的として用いられ、銀（Ａｇ）材料を主成分とする導電性材料によって形成されている。
【００２６】
次に、ＰＤＰ１０の製造方法について説明する。
【００２７】
まず、前面ガラス基板２１上に、走査電極２２および維持電極２３を構成する透明電極が、フォトリソグラフィ法などを用いてパターニングして形成される。そして、ブラックストライプ２５、および透明電極上にバス電極となるそれぞれのペースト層が、フォトリソグラフィ法、スクリーン印刷法などで形成される。ここでバス電極の材料は、導電性黒色粒子、あるいは銀（Ａｇ）材料を含むペーストであり、ブラックストライプ２５の材料も、黒色顔料を含むペーストである。
【００２８】
次に、バス電極、およびブラックストライプ２５となるそれぞれのペースト層を覆うように、誘電体ペーストをダイコート法などにより塗布して、誘電体層２６となる誘電体ペースト層を形成する。誘電体ペーストを塗布した後、所定の時間放置することによって塗布された誘電体ペースト表面が、レベリングされて平坦な表面になる。その後、バス電極のペースト層、ブラックストライプ２５のペースト層、誘電体ペースト層を一括して焼成する工程により、走査電極２２、維持電極２３、ブラックストライプ２５、および誘電体層２６が形成される。ここで、誘電体ペーストは、粉末の誘電体ガラスフリット、バインダおよび溶剤を含む塗料である。
【００２９】
次に、誘電体層２６上に酸化マグネシウム（ＭｇＯ）からなる保護層２７を、真空蒸着法により形成する。以上の工程により、前面ガラス基板２１上に所定の構成部材が形成されて前面板２０が完成する。
【００３０】
背面板３０は、次のようにして形成される。まず、背面ガラス基板３１上に、銀（Ａｇ）材料を含むペーストをスクリーン印刷する方法や、金属膜を全面に形成した後、フォトリソグラフィ法を用いてパターニングする方法などにより、データ電極３２用の構成物となる材料層を形成する。そして、その材料層を所望の温度で焼成してデータ電極３２を形成する。
【００３１】
次に、データ電極３２が形成された背面ガラス基板３１上に、ダイコート法などによりデータ電極３２を覆うように誘電体ペーストを塗布して、誘電体ペースト層を形成する。その後、誘電体ペースト層を焼成することにより、下地誘電体層３３を形成する。なお、誘電体ペーストは、粉末の誘電体ガラスフリットと、バインダ、および溶剤を含んだ塗料である。
【００３２】
次に、下地誘電体層３３上に隔壁材料を含む隔壁形成用ペーストを塗布し、所定の形状にパターニングして隔壁材料層を形成し、その後、焼成することにより、隔壁３４を、例えば横隔壁３４ａを１００μｍ、縦隔壁３４ｂを１２０μｍの高さに形成する。ここで、下地誘電体層３３上に塗布した隔壁用ペーストをパターニングする方法としては、フォトリソグラフィ法を用いることができる。
【００３３】
次に、隣接する隔壁３４間の下地誘電体層３３上、および隔壁３４の側面に、蛍光体材料を含む蛍光体ペーストを塗布し、焼成することにより、蛍光体層３５が形成される。以上の工程により、背面ガラス基板３１上に所定の構成部材が形成されて、背面板３０が完成する。
【００３４】
このようにして、所定の構成部材を備えた前面板２０と背面板３０とを、表示電極対２４とデータ電極３２とが交差するように対向配置して、その周囲を封着部材１１で封着し、放電セル３７内にネオン（Ｎｅ）、キセノン（Ｘｅ）などを含む放電ガスを封入することでＰＤＰ１０が完成する。
【００３５】
次に隔壁３４について、さらに詳しく説明する。図３（ａ）は図１のＡ部拡大図、図３（ｂ）は図３（ａ）のＢ−Ｂ線断面図である。図３に示すように、縦隔壁３４ｂのうちの両端の縦隔壁である最外端縦隔壁３４ｃの交差結合部３６から外側に半円形状の突出部４０が設けられている。ここで交差結合部３６から外側とは、交差結合部３６から縦隔壁３４ｂが形成されている側と反対側を意味する。そして、突出部４０は最外端縦隔壁３４ｃと一体に、横隔壁３４ａの延伸する方向に焼成時の引張応力が等しくなるように形成する。これは、パターニングする際に最外端縦隔壁３４ｃの交差結合部３６の形状を、突出部４０が設けられた形状とすればよい。
【００３６】
上述したように隔壁３４は、隔壁形成用ペーストを焼成して形成する。そして、その焼成時に収縮し、隔壁３４となるそれぞれの部位では引張応力が働く。そのため最外端縦隔壁３４ｃの交差結合部３６では、横隔壁３４ａの延伸方向にも、縦隔壁３４ｂの延伸方向にもほぼ等しい引張応力を働かせるようにすることで、最外端縦隔壁３４ｃを傾くことなく形成できる。
【００３７】
このように、最外端縦隔壁３４ｃの交差結合部３６から外側に突出部４０を設けることで、交差結合部３６の引張応力のバランスをとることができる。またここで、縦隔壁３４ｂである最外端縦隔壁３４ｃの交差結合部３６に突出部４０を設け、最外端縦隔壁３４ｃを浮き上がらせないようにするのは、縦隔壁３４ｂの高さが、横隔壁３４ａの高さより高いからである。すなわち、隔壁高さの高い縦隔壁３４ｂのうちの最外端縦隔壁３４ｃを傾けることなく、形成することで前面板２０と背面板３０との間に、不必要な隙間を作ることがない。その結果、高精細度ＰＤＰであっても、背面板３０と前面板２０との間隔が適正に保持されるため、クロストークをおこすことのない表示品質の高い画像表示が可能なＰＤＰを提供することができる。
【００３８】
そして突出部４０を最外端縦隔壁３４ｃに設けることで、縦隔壁３４ｂの形成時に同時に形成できるとともに、最外端縦隔壁３４ｃに一体に形成するため、最外端縦隔壁３４ｃの接着力が強くなり、より最外端縦隔壁３４ｃを傾きにくくすることができる。
【００３９】
また本発明の実施の形態のＰＤＰの突出部とは、鋭角状に突き出た形状だけを意味するのではなく、本発明の第１の実施の形態のＰＤＰのような半円形状や、台形状などでもよい。すなわち、交差結合部をはさんで焼成時の引張応力をバランスさせるようにするものであればよい。従って、本発明の第１の実施の形態のＰＤＰの異なる例の突出部の形状を示す図である図４のような三角形形状としてもよい。図４は、最外端縦隔壁３４ｃの交差結合部３６から外側に、引張応力が等しくなるように突出部４１を形成している。
【００４０】
（第２の実施の形態）
図５（ａ）は、本発明の第２の実施の形態のＰＤＰの縦隔壁の両端のうちの一端付近の隔壁の平面図、図５（ｂ）は図５（ａ）のＣ−Ｃ線断面図である。本発明の第２の実施の形態のＰＤＰと、本発明の第１の実施の形態のＰＤＰとが異なる点は、縦隔壁のうちの両端の隔壁である最外端縦隔壁の交差結合部から外側に設けた突出部だけであるので、この突出部について説明する。
【００４１】
図５に示すように、縦隔壁３４ｂのうちの両端の縦隔壁である最外端縦隔壁３４ｄの交差結合部３６から外側に突出部４３が設けられている。この突出部４３は、横隔壁３４ａの延伸部であり、交差結合部３６で横隔壁３４ａの延伸する方向に引張応力が等しくなるように形成されている。また突出部４３は、その突出部４３と交差結合部３６をはさんで延伸する横隔壁３４ａの底部幅ｄより大きな底部幅Ｄの領域４４を備えている。
【００４２】
交差結合部３６に、このような突出部４３を設けると、横隔壁３４ａの延伸する方向に引張応力がバランスするため、最外端縦隔壁３４ｄを傾けることなく形成できる。また突出部４３は、その突出部４３と交差結合部３６をはさんで延伸する横隔壁３４ａの底部幅ｄより大きな底部幅Ｄの領域４４を備えているため、底面積が大きくなって接着力が強くなり、突出部４３からの剥がれもなくなり、より信頼性の高いＰＤＰとすることができる。
【００４３】
このように最外端縦隔壁３４ｄを傾けることなく形成できるため、高精細度ＰＤＰであっても、背面板３０と前面板２０との間隔が適正に保持され、クロストークをおこすことのない表示品質の高い画像表示が可能なＰＤＰを提供することができる。
【産業上の利用可能性】
【００４４】
本発明のＰＤＰは、クロストークをおこすことのない表示品質の高い画像表示を行えるので、表示デバイスなどの分野に有用である。
【図面の簡単な説明】
【００４５】
【図１】本発明の第１の実施の形態のＰＤＰの平面図
【図２】同ＰＤＰの構造を示す分解斜視図
【図３】（ａ）図１のＡ部拡大図（ｂ）図３（ａ）のＢ−Ｂ線断面図
【図４】同ＰＤＰの異なる例の突出部の形状を示す図
【図５】（ａ）本発明の第２の実施の形態のＰＤＰの縦隔壁の両端のうちの一端付近の隔壁の平面図（ｂ）図５（ａ）のＣ−Ｃ線断面図
【符号の説明】
【００４６】
１０    ＰＤＰ
１１    封着部材
１２    画像表示領域
１３    非画像表示領域
２０    前面板
２１    前面ガラス基板
２２    走査電極
２３    維持電極
２４    表示電極対
２５    ブラックストライプ（遮光層）
２６    誘電体層
２７    保護層
３０    背面板
３１    背面ガラス基板
３２    データ電極
３３    下地誘電体層
３４    隔壁
３４ａ    横隔壁
３４ｂ    縦隔壁
３４ｃ，３４ｄ    最外端縦隔壁
３５    蛍光体層
３６    交差結合部
３７    放電セル
４０，４１，４３    突出部
４４    底部幅Ｄの領域
【図１】
2008123834.tif 000003
【図２】
2008123834.tif 000004
【図３】
2008123834.tif 000005
【図４】
2008123834.tif 000006
【図５】
2008123834.tif 000007